(57)【特許請求の範囲】
【請求項１】
複数の設定項目にそれぞれ割り振られた数字からなる設定項目番号として、前記設定項目を外部からの通信により設定する場合に使用する通信番号が設定されており、
前記設定項目番号の入力を促す番号入力画面を表示する番号入力画面表示手段と、
前記番号入力画面を表示している際に前記設定項目番号が入力されると、当該設定項目番号に対応する前記設定項目の設定画面をリアルタイムに表示する設定画面表示手段と、
を備えるインバータ装置。
【請求項２】
前記番号入力画面表示手段は、何れの前記設定項目にも割り振られていない番号が入力された場合には、その番号に最も近い前記設定項目番号を入力する請求項１に記載のインバータ装置。
【請求項３】
前記番号入力画面には、複数の状態項目にそれぞれ割り振られた数字からなる状態項目番号を入力可能であり、
前記番号入力画面に前記状態項目番号が入力されると、当該状態項目番号に対応する状態をリアルタイムにモニタする状態モニタ画面を表示する状態モニタ画面表示手段をさらに備える請求項１または２に記載のインバータ装置。
【請求項４】
前記状態項目番号として、状態を外部からの通信によりモニタする場合に使用する通信番号を入力する請求項３に記載のインバータ装置。
【発明の詳細な説明】
【技術分野】
【０００１】
本発明の実施形態は、インバータ装置に関する。
【背景技術】
【０００２】
インバータ装置には、多くのパラメータが設定項目として設けられている。ユーザは、例えば各種の調整や必要とする機能を使用するために、パラメータの設定を適宜変更する必要がある。しかし、従来のインバータ装置では、複数のパラメータの設定画面が例えば機能ごとにグループ化されており、複雑な階層構造で編成されている。そのため、設定を変更したいパラメータの設定画面に辿り着くまでに、多数のキー操作が必要となり、また、多数の項目から対象のパラメータを探すことが必要となる。
【０００３】
即ち、例えばインバータ装置により駆動するモータの加速時間を変更する場合には、ユーザは、インバータ装置の操作パネルにおいてキー操作を行うことにより、まず標準モードからパラメータの設定モードへの切り換えを行う。そして、設定モードに切り換わった画面において、キー操作により、パラメータ「加速時間」が所属するパラメータグループを選択する。そして、選択したグループから、キー操作により、パラメータ「加速時間」を探して選択する。これにより、加速時間というパラメータの設定を変更するための設定画面が表示され、ユーザは、加速時間の設定値を変更することができる。
【先行技術文献】
【特許文献】
【０００４】
【特許文献１】特開平５−１４６１９４号公報
【発明の概要】
【発明が解決しようとする課題】
【０００５】
上述した通り、従来のインバータ装置では、設定を変更したいパラメータの設定画面に辿り着くまでに多数のキー操作や対象のパラメータを探す手間が必要となり、使い勝手が悪い。
【０００６】
そこで、設定を変更したいパラメータの設定画面に、多数のキー操作やパラメータを探す手間を要することなく辿り着くことができるようにしたインバータ装置を提供する。
【課題を解決するための手段】
【０００７】
本実施形態のインバータ装置は、番号入力画面表示手段、設定画面表示手段を備える。複数の設定項目にそれぞれ割り振られた数字からなる設定項目番号として、前記設定項目を外部からの通信により設定する場合に使用する通信番号が設定されており、番号入力画面表示手段は、前記設定項目番号の入力を促す番号入力画面を表示する。設定画面表示手段は、前記番号入力画面を表示している際に前記設定項目番号が入力されると、当該設定項目番号に対応する前記設定項目の設定画面をリアルタイムに表示する。
【図面の簡単な説明】
【０００８】
【図１】第１実施形態に係るインバータ装置の構成例を示す図
【図２】インバータ装置の画面の遷移例を示す図
【図３】各種のパラメータに割り振られた通信番号の一覧である通信番号一覧表の一例を示す図
【図４】従来のインバータ装置の画面の遷移例を示す図
【図５】第２実施形態に係る番号入力画面の一例を示す図
【図６】異なる通信番号が順に入力される場合における番号入力画面の変化の一例を示す図
【図７】第３実施形態に係るものであり、異なる通信番号が順に入力される場合における番号入力画面の変化の一例を示す図
【図８】各種の状態項目に割り振られた通信番号の一覧である通信番号一覧表の一例を示す図
【図９】第４実施形態に係るインバータ装置の構成例を示す図
【図１０】インバータ装置の画面の遷移例を示す図
【発明を実施するための形態】
【０００９】
以下、インバータ装置に係る複数の実施形態について図面を参照しながら説明する。なお、各実施形態において実質的に同一の要素には同一の符号を付し、説明を省略する。
（第１実施形態）
図１に例示するインバータ装置１０は、整流回路１１、平滑コンデンサ１２、インバータ回路１３などを備える。整流回路１１は、３相の商用交流電源１４より入力される電圧を整流して直流電圧を出力する。平滑コンデンサ１２は、整流回路１１が出力する直流電圧を平滑する。インバータ回路１３は、平滑コンデンサ１２が平滑化した直流電圧を交流に逆変換してモータ１５へ供給する。これにより、インバータ装置１０は、交流電源１４に基づいて、負荷であるモータ１５を駆動する。インバータ装置１０は、制御部２１、記憶部２２、通信部２３、操作部２４などを備える。
【００１０】
制御部２１は、マイクロコンピュータを主体として構成されており、インバータ装置１０の動作全般を制御する。記憶部２２は、例えば不揮発性メモリで構成されており、インバータ装置１０を動作させるために必要な各種の情報を記憶する。インバータ装置１０を動作させるために必要な情報は、例えば、操作部２４を介して設定された各種のパラメータの設定値などである。通信部２３は、例えば無線通信用または有線通信用の通信モジュールで構成されており、インバータ装置１０以外の外部装置１６との間で通信を行う。外部装置１６は、例えば、パーソナルコンピュータやインターネット上に存在するサーバなどである。
【００１１】
操作部２４は、例えば液晶表示器２５を有する操作パネルで構成されている。操作部２４には、ユーザにより操作される複数の操作キー２６が設けられている。本実施形態では、操作キー２６として、ＲＵＮキー２６ａ、ＳＴＯＰキー２６ｂ、ＯＫキー２６ｃ、ＥＳＣキー２６ｄ、ダイヤルキー２６ｅなどが設けられている。ＲＵＮキー２６ａは、モータ１５の駆動開始を入力するための操作キーである。ＳＴＯＰキー２６ｂは、モータ１５の駆動停止を入力するための操作キーである。ＯＫキー２６ｃは、入力内容を確定するための操作キーである。ＥＳＣキー２６ｄは、操作内容の取り消しや、液晶表示器２５の画面を遷移させるために用いる操作キーである。ダイヤルキー２６ｅは、回動操作可能な操作キーであり、ユーザは、ダイヤルキー２６ｅを回動させることにより項目の選択や設定値の増減などを行うことができる。
【００１２】
制御部２１は、制御プログラムを実行することにより、キー入力取得部３１、メイン制御部３２、表示出力部３３をソフトウェアにより仮想的に実現する。なお、キー入力取得部３１、メイン制御部３２、表示出力部３３は、ハードウェアにより実現してもよいし、ソフトウェアとハードウェアの組み合わせにより実現してもよい。
【００１３】
キー入力取得部３１は、ユーザが操作部２４の各種の操作キー２６を操作することにより入力した情報を取得して操作情報としてメイン制御部３２に与える。メイン制御部３２は、キー入力取得部３１から得られる操作情報に基づいて、液晶表示器２５の表示モードの切り換え処理、パラメータの設定値の変更処理、などといった各種の処理を行う。表示出力部３３は、メイン制御部３２から与えられる指令に基づいて、液晶表示器２５に各種の画面を表示する。
【００１４】
本実施形態では、メイン制御部３２は、液晶表示器２５の表示モードを、標準モード、設定モード、モニタモードに切り換え可能に構成されている。図２に例示するように、標準モードでは、液晶表示部２５に標準モード画面Ｇ１が表示される。設定モードでは、液晶表示部２５に設定モード画面Ｇ２が表示される。モニタモードでは、液晶表示部２５にモニタモード画面Ｇ３が表示される。
【００１５】
標準モードは、例えばインバータ装置１０の電源オン時にデフォルトで表示される標準の表示モードである。この標準モードでは、現時点におけるモータ１５の駆動周波数などが表示される。また、標準モードでは、例えばトリップなどの異常が発生した場合にアラームが表示される。設定モードは、パラメータを設定するための表示モードである。モニタモードは、インバータ装置１０の状態をモニタするための表示モードである。メイン制御部３２は、操作部２４のＥＳＣキー２６ｄが操作されることに応じて、標準モード、設定モード、モニタモードを順次切り換えるようになっている。
【００１６】
メイン制御部３２は、さらに、番号入力画面表示処理部４１、設定画面表示処理部４２を備える。番号入力画面表示処理部４１、設定画面表示処理部４２は、ソフトウェアにより実現してもよいし、ハードウェアにより実現してもよいし、ソフトウェアとハードウェアの組み合わせにより実現してもよい。
【００１７】
図２に例示するように、番号入力画面表示処理部４１は、液晶表示器２５の表示モードが設定モードに切り換えられている状態において、設定モード画面Ｇ２の「０．通信番号アクセス」が選択されてＯＫキー２６ｃが操作されると、液晶表示器２５に番号入力画面Ｇ４を表示する。番号入力画面Ｇ４は、複数のパラメータにそれぞれ割り振られた通信番号の入力を促すための画面である。
【００１８】
設定画面表示処理部４２は、番号入力画面Ｇ４が表示されている際に、当該番号入力画面Ｇ４に通信番号が入力されてＯＫキー２６ｃが操作されると、当該通信番号に対応するパラメータの設定画面Ｇ５を表示する。ユーザは、操作キー２６を適宜操作することにより設定画面Ｇ５に表示される値を調整して確定することにより、パラメータの設定値を変更することができる。
【００１９】
ここで、通信番号について詳細に説明する。通信番号は、設定項目番号の一例であり、基本的には、外部装置１６からの通信、例えばＲＳ４８５通信により、外部装置１６により各種のパラメータを設定する場合に使用する例えば１０進数や１６進数といった数字のみからなる番号である。即ち、インバータ装置１０の各種のパラメータは、外部装置１６から通信番号を入力することにより設定することが可能となっている。ユーザは、例えば図３に示す通信番号一覧表を参照することにより、設定を変更したいパラメータに割り振られている通信番号を確認することができる。通信番号一覧表は、例えばインバータ装置１０の取扱説明書などに添付されている。
【００２０】
本実施形態のインバータ装置１０では、この通信番号を利用して、インバータ装置１０単独でパラメータの設定値をダイレクトに変更できるように構成されている。即ち、ユーザは、番号入力画面Ｇ４に通信番号を入力して確定することにより、設定を変更したいパラメータの設定画面Ｇ５にダイレクトに辿り着くことができる。
【００２１】
図４に例示するように、従来のインバータ装置では、ユーザは、多数のキー操作を経なければ、設定を変更したいパラメータの設定画面に辿り着くことができなかった。即ち、従来では、ユーザは、設定モード画面ｇ２において、設定を変更したいパラメータが所属するパラメータグループを選択して確定する。そして、選択したパラメータグループに所属するパラメータ群を表示するパラメータグループ画面ｇ４において、複数のパラメータの中から、設定を変更したいパラメータを探して選択する。そして、設定を変更したいパラメータを選択して確定することにより、ようやく当該パラメータの設定画面ｇ５に辿り着くことができる。このように、従来のインバータ装置では、設定を変更したいパラメータの設定画面ｇ５にアクセスするまでに、多数のキー操作が要求され、また、多数の項目のなかから対象のパラメータを探す手間が要求されていた。
【００２２】
本実施形態のインバータ装置１０によれば、複数のパラメータの設定画面がグループ化され階層構造で編成されている場合であっても、通信番号を入力することにより、設定を変更したいパラメータの設定画面にダイレクトにアクセスすることができる。よって、設定を変更したいパラメータの設定画面に辿り着くまでに、多数のキー操作を要することがなく、また、多数の項目のなかから対象のパラメータを探す手間も要することがない。従って、パラメータの設定につき使い勝手の良いインバータ装置１０を提供できる。
【００２３】
（第２実施形態）
図５に例示するように、本実施形態では、番号入力画面表示処理部４１は、番号入力画面Ｇ４に通信番号が入力されると、当該通信番号に対応するパラメータに関する情報Ｐｉを番号入力画面Ｇ４に表示する。この場合、番号入力画面表示処理部４１は、パラメータに関する情報Ｐｉとして、パラメータのタイトルである「ＡＣＣ」、パラメータの機能名である「加速時間」、および、通信番号の入力時点におけるパラメータの設定値である「１０．０ｓ」を番号入力画面Ｇ４に表示している。
【００２４】
本実施形態によれば、番号入力画面Ｇ４に通信番号を入力することにより、その番号入力画面Ｇ４において、パラメータの現在の状況を確認することができる。そのため、設定画面Ｇ５に移行しなくとも、設定値の変更の要否を判断することができる。また、番号入力画面Ｇ４に表示されるパラメータの現在の状況に基づき、設定値の変更が不要であると判断できる場合には、設定画面Ｇ５に移行するための操作を無駄に行わなくてもよい。
【００２５】
なお、番号入力画面表示処理部４１は、パラメータのタイトル、パラメータの機能名、および、通信番号の入力時点におけるパラメータの設定値のうち少なくとも何れか１つの情報を番号入力画面Ｇ４に表示するように構成してもよい。
【００２６】
また、図６に例示するように、何れのパラメータにも割り振られていない通信番号が番号入力画面Ｇ４に入力された場合には、番号入力画面表示処理部４１は、該当するパラメータが存在しないことを示す情報、この場合、「パラメータなし」という文字情報を番号入力画面Ｇ４に表示するように構成してもよい。この構成によれば、該当するパラメータが存在しないにも関わらず、ユーザが当該パラメータの設定画面にアクセスしようとする無駄な操作を行ってしまうことを回避することができる。
なお、該当するパラメータが存在しないことを示す手段は、文字情報の表示に限られるものではなく、例えば、音声情報の出力、発光器の発光などによる手段であってもよい。
【００２７】
（第３実施形態）
図７に例示するように、本実施形態では、番号入力画面表示処理部４１は、何れのパラメータにも割り振られていない通信番号が番号入力画面Ｇ４に入力された場合には、パラメータが割り振られている通信番号のうち、その入力された通信番号に最も近い通信番号を番号入力画面Ｇ４に自動的に入力する。即ち、例えば、パラメータ「ＡＣＣ：加速時間」に対応する通信番号「０００９」、何れのパラメータにも割り振られていない通信番号「００１０」、パラメータ「ｄＥＣ：加速時間」に対応する通信番号「００１１」が番号入力画面Ｇ４に順に入力される場合、番号入力画面表示処理部４１は、通信番号「００１０」の入力をスキップして、その次の通信番号「００１１」を番号入力画面Ｇ４に自動的に入力する。
【００２８】
本実施形態によれば、何れのパラメータにも割り振られていない通信番号を入力したとしても、その通信番号の入力がスキップされて、パラメータの設定値の変更が可能な通信番号の入力のみが有効に受け付けられる。つまり、無駄な通信番号の入力を自動的に無効化するようにしたので、パラメータの設定値の変更作業を効率良く進めることができる。
【００２９】
本実施形態は、特に、何れのパラメータにも割り振られていない通信番号が連続している場合に特に有効である。例えば、通信番号「０１００」，「０２００」にはパラメータが割り振られているが、その間の通信番号「０１０１」〜「０１９９」にはパラメータが割り振られていない場合、通信番号「０１００」の次に通信番号「０１０１」が入力されると、パラメータが割り振られている通信番号のうち、通信番号「０１０１」に最も近い通信番号「０２００」が番号入力画面Ｇ４に自動的に入力される。即ち、何れのパラメータにも割り振られていない通信番号「０１０１」〜「０１９９」の入力が一括してスキップされるので、より効率良くパラメータの設定値の変更作業を進めることができる。
【００３０】
（第４実施形態）
図８に例示するように、通信番号は、インバータ装置１０の状態をモニタするための状態項目にも割り振られている。即ち、インバータ装置１０の状態は、外部装置１６から通信番号を入力することにより、その通信番号に対応する状態を外部装置１６においてモニタすることができる。本実施形態は、通信番号を、状態項目番号の一例としても使用するものであり、番号入力画面Ｇ４に入力可能となっている。
【００３１】
図９に例示するように、本実施形態では、メイン制御部３２は、さらに、状態モニタ画面表示処理部４３を備える。状態モニタ画面表示処理部４３は、ソフトウェアにより実現してもよいし、ハードウェアにより実現してもよいし、ソフトウェアとハードウェアの組み合わせにより実現してもよい。図１０に例示するように、状態モニタ画面表示処理部４３は、番号入力画面Ｇ４に、状態項目に対応する通信番号が入力されると、当該通信番号に対応する状態をモニタする状態モニタ画面Ｇ６を液晶表示器２５に表示する。これにより、ユーザは、入力した通信番号に対応するインバータ装置１０の状態をリアルタイムに確認することができる。
【００３２】
本実施形態によれば、インバータ装置１０の状態を確認したい場合には、通信番号を入力することにより、その状態を確認したい状態項目のモニタ画面に、多数のキー操作を要することなくダイレクトに辿り着くことができる。
【００３３】
（その他の実施形態）
本実施形態は、上述した実施形態に限定されるものではなく、例えば以下のように拡張または変形することができる。
例えば、操作部２４は、ダイヤルキー２６ｅに代えて、いわゆるアップ／ダウンキーを備える構成としてもよい。また、操作部２４は、ダイヤルキー２６ｅとアップ／ダウンキーを併設した構成としてもよい。
【００３４】
操作部２４は、液晶表示器２５に代えて、例えば７セグメントの表示器を備える構成としてもよい。なお、７セグメントの表示器の場合、液晶表示器２５に比べ、パラメータのタイトルや機能名などといった特に文字情報を読み易く表示することが困難である。そのため、操作部２４は、液晶表示器２５を備える構成が好ましい。
【００３５】
設定項目番号および状態項目番号は、通信番号に限られるものではなく、例えば、各パラメータに固有に設定されたパラメータ番号や新規に規定した番号などを用いるようにしてもよい。なお、設定項目番号および状態項目番号として通信番号を利用する上述の各実施形態によれば、外部通信のために予め設定されている通信番号を有効に利用することができ、効率的である。また、設定項目番号および状態項目番号は、数字のみからなる番号に限られず、例えばアルファベットなど数字以外の要素を含むものであってもよい。
【００３６】
上述の複数の実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。本実施形態およびその変形は、発明の範囲および要旨に含まれるとともに、特許請求の範囲に記載された発明とその均等の範囲に含まれる。
【符号の説明】
【００３７】
図面中、１０はインバータ装置、４１は番号入力画面表示処理部（番号入力画面表示手段）、４２は設定画面表示処理部（設定画面表示手段）、４３は状態モニタ画面表示処理部（状態モニタ画面表示手段）を示す。
【図１】
0006574658.tif 000002
【図２】
0006574658.tif 000003
【図３】
0006574658.tif 000004
【図４】
0006574658.tif 000005
【図５】
0006574658.tif 000006
【図６】
0006574658.tif 000007
【図７】
0006574658.tif 000008
【図８】
0006574658.tif 000009
【図９】
0006574658.tif 000010
【図１０】
0006574658.tif 000011